(57)【要約】本発明は建築物や建築部品を保護する為に、地面を這う虫（０３，０８）、特にシロアリを追い払う装置（０１，２０，２２）に関する。本発明の装置は、電気絶縁素材からなる支持要素（１２，２１，２３）と、その上に距離をおいて互いに平行に配置され、電圧源によって電圧を印加可能な、少なくとも二つの電気伝導要素（０４，０５，０６）とを備える。伝導要素（０４，０５，０６）間の距離は少なくとも追い払う虫（０３，０８）の長さよりも僅かに短く設定され、虫（０３，０８）が伝導要素（０４，０５，０６）と垂直に支持要素（１２，２１，２３）を通過する際に、伝導要素（０４，０５，０６）間で電流伝導接続を形成するようになっている。該伝導要素（０４，０５，０６）は垂直方向に位置をずらして、異なる高さに配置される。最下段の伝導要素（０６）と直下の地面（０７）との間には、少なくとも多少の高低差が設けられる。
2005537019.tif 000002
【特許請求の範囲】
【請求項１】
電気的絶縁材からなる支持要素（１２，２１，２３）と、間隔を置いて平行に配置された、その間に電圧源により電圧を印加することができる、少なくとも二つの電気伝導要素（０４，０５，０６）とを有し、建築物あるいは建築部品を保護するために、地面を這う虫（０３，０８）、特にシロアリを放逐するための装置（０１，２０，２２）であって、
虫（０３，０８）が該支持要素（１２，２１，２３）を該伝導要素（０４，０５，０６）と交差する向きに通過する際、該伝導要素（０４，０５，０６）間に電流伝導接続を生じさせるよう、該伝導要素（０４，０５，０６）間の距離が、少なくとも追い払うべき虫（０３，０８）の体長より最小限小さくなるように設定され、該伝導要素（０４，０５，０６）は垂直方向にずらして異なる高さに配置され、最下部の伝導要素（０６）とその下方の地面（０７）との間には、少なくとも最低限の高さの差を設けることを特徴とする装置。
【請求項２】
該支持要素（１２，２１，２３）が、該伝導要素（０４，０５，０６）の設けられた側面が滑らかな表面を持つように構成されたことを特徴とする、請求項１記載の装置。
【請求項３】
接続面（０９，１０）が、該伝導要素（０４，０５，０６）間を上方向に向かってのびる、あるいは、該地面上方に張り出すように構成されたことを特徴とする、請求項１又は請求項２に記載の装置。
【請求項４】
該伝導要素（０４，０５，０６）の上に中間の仕切り空間を形成した状態で、該伝導要素（０４，０５，０６）を水分から保護するための保護要素（１１）を配置したことを特徴とする、請求項１〜３の何れか一項に記載の装置。
【請求項５】
該保護要素（１１）が少なくとも部分的に下方へ向かってのびるよう構成されたことを特徴とする、請求項４記載の装置。
【請求項６】
該支持要素（２３）が、少なくとも、該伝導要素（０４，０５，０６）に平行に伸びるその長軸方向に沿った、弾性変形可能なフィルムとして形成されたことを特徴とする、請求項１〜５の何れか一項に記載の装置。
【請求項７】
該支持要素（２１）が、その下端部を地中（１４）に挿入できるよう、安定成形されたプロフィル・ストリップとして形成されたことを特徴とする、請求項１〜５の何れか一項に記載の装置。
【請求項８】
該支持要素（１２）が、虫に対する自然のバリアであるバリア装置（０２）に装着可能なプロフィル・ストリップとして形成されたことを特徴とする、請求項１〜５の何れか一項に記載の装置。
【請求項９】
該バリア装置（０２）が角材として形成されたことを特徴とする、請求項８記載の装置。
【請求項１０】
該バリア装置（０２）表面に、下方へ向かって地中へと伸びるフィルム（１３）が装着されたことを特徴とする、請求項８又は請求項９に記載の装置。
【請求項１１】
該支持要素（１２）が、角度のあるプロフィルとして形成され、該伝導要素（０４，０５，０６）が、複数の脚部（１４）のうちのひとつの外側に配置され、該支持要素（１２）の装着の際、二つの脚部（１５，１６）の内側が少なくとも部分的に該バリア装置に接触することを特徴とする、請求項８〜１０の何れか一項に記載の装置。
【請求項１２】
特にネジやクギ等の装着手段の装着により、該プロフィル・ストリップを装着するために、該角度のあるプロフィルの少なくともひとつの脚部（１６）が複数の凹部を有することを特徴とする、請求項１１記載の装置。
【請求項１３】
該角度のあるプロフィルの該二つの脚部（１５，１６）の内側が９０度未満の角度を形成し、これら二つの脚部（１５，１６）が互いに、少なくとも部分的に弾性変形可能に接続されることを特徴とする、請求項１１又は請求項１２に記載の装置。
【請求項１４】
該複数の脚部（１５）のうちのひとつの下端部に、弾性のシーリング要素（１７）、特に、ゴム製のシーリング・リップが形成されたことを特徴とする、請求項１１〜１３の何れか一項に記載の装置。
【請求項１５】
該支持要素（１２，２１）の端部が、連結装置（１８）によって他のプロフィル・ストリップに接続可能に構成され、これにより連結された伝導要素（０４、０５、０６）間に電気的接続が形成されることを特徴とする、請求項１〜１４の何れか一項に記載の装置。
【請求項１６】
該連結装置（１８）が、該支持要素（１２，２１）の両端部に装着可能に構成されたことを特徴とする請求項１５記載の装置。
【請求項１７】
該伝導要素（０４，０５，０６）が、５〜５０ｍｍ間隔、特に、１０〜２０ｍｍ間隔で配置されたことを特徴とする、請求項１〜１６の何れか一項に記載の装置。
【請求項１８】
該伝導要素（０４，０５，０６）が、特に、銅あるいはアルミニウムによる伝導性ワイヤからなることを特徴とする、請求項１〜１７の何れか一項に記載の装置。
【請求項１９】
該伝導要素（０４，０５，０６）間に、２００〜５０００Ｖの供給電圧が印加されるよう構成されたことを特徴とする、請求項１〜１８の何れか一項に記載の装置。
【請求項２０】
該伝導要素（０４，０５，０６）間に電流伝導接続が形成されるに伴い、０．１から０．６Ｊの電力を有す電流が流れるよう構成することを特徴とする、請求項１〜１９の何れか一項に記載の装置。
【請求項２１】
該支持要素（２１）が、熱可塑性プラスティック、特に、ＰＶＣからなることを特徴とする、請求項１〜２０の何れか一項に記載の装置。
【請求項２２】
該装置（２５，２７）上に、該装置（２５，２７）の長軸方向に沿って平行する四つの伝導要素（２６，２８）を設けたことを特徴とする、請求項１〜２１の何れか一項に記載の装置。
【請求項２３】
隣り合う伝導要素（２６，２８）が、電圧源に対して異なる極性に接続されることを特徴とする、請求項１〜２２の何れか一項に記載の装置。
【請求項２４】
該伝導要素（２６）が、その長軸方向に沿って波形に形成されたことを特徴とする、請求項１〜２３の何れか一項に記載の装置。
【請求項２５】
該伝導要素（２８）が、その長軸方向に沿ってジグザグに形成されたことを特徴とする、請求項１〜２３の何れか一項に記載の装置。
【請求項２６】
該伝導要素（２８）のジグザグ部分が５〜２２度、特に、約１６度の角度となるように設けられたことを特徴とする、請求項１〜２３の何れか一項に記載の装置。
【発明の詳細な説明】
【技術分野】
【０００１】
クレーム１の前提要件に述べるとおり、本発明は地面を這う虫、特にシロアリを追い払うための装置に関する。
【背景技術】
【０００２】
特定の地域、特にアメリカ合衆国、南アフリカ、カナダ等において、ある種の虫、特にシロアリは、建築物や建築部材に対して、深刻な脅威を与えている。特に、木材や木製部材がこのような虫から受ける脅威は大きく、例えば、シロアリは建造部材を数日で破壊する場合もある。
【０００３】
このようなリスクを回避するため、建築現場では大量の殺虫剤を使用して、周辺環境に生息しているシロアリを駆逐することを常としている。しかし、この方法は相当な生態学的不利益をもたらす上に、殺虫剤が高額であることから多額の費用をも要する。更なる不都合として、時間が経つと再びシロアリが家屋周辺環境に住み着いてしまうおそれがあり、その場合には殺虫剤を新たに散布しなければならない。電圧を有す伝導要素を備えたタイプの装置は、例えば、ハトを追い払うためのものとして知られている。しかし、このような装置は追い払うべき動物の種類に特有のものとして作られており、地面を這う虫を追い払うには適していない。
【発明の開示】
【発明が解決しようとする課題】
【０００４】
そこで、本発明の目的は、地面を這う虫を追い払うための新たな装置を提案することにある。
【課題を解決するための手段】
【０００５】
本目的は、クレーム１の教示による装置によって解決される。
【０００６】
本発明の有利な実施形態が、従属クレームの要旨である。
【発明を実施するための最良の形態】
【０００７】
本発明によれば、この新たな装置において、伝導要素間の間隔を選択するが、この間隔は、少なくとも、追い払うべき虫の体長より最小限小さく構成する。このようにして、虫が伝導要素と交差する向きに支持要素を横切る際、伝導要素間に伝導接続が形成され、その体に電流が放出されることによって、虫が追い払われる。地面を移動する虫を放逐するための装置が機能するに際して重要なこととして、伝導要素が、すでに気絶した虫や、死んだ虫によって覆われていないことがあげられる。例えば、死んだ、あるいは気絶した虫によって伝導要素が覆われていた場合、これらの虫の上を通って、それに続いてやってくる虫が、伝導要素によって形成されるバリアを乗り越える可能性があると考えられる。そこで、本発明によれば、複数の伝導要素を異なる高さに縦に配置し、それによって、最下部に配置された伝導要素とその下の地面との間に、少なくとも最低限の高さの差を設ける。本構成によって、電気ショックによって既に死んだ、あるいは気絶した虫は、ショックを受けた後、重力によって落下する。それゆえ、最下部の伝導要素とその下の地面との高さの差を、虫が多く落下することによって、伝導要素が覆われてしまうことがないように設定しなければならない。もちろん、本発明の長期にわたる使用によって、落下した多くの虫が伝導要素の下に山になって積もることはあり得ないことではない。その場合は、伝導要素の下の領域を、例えば箒で掃くなどして掃除しなければならない。
【０００８】
言い換えれば、地面を這う虫を放逐するための本発明は、気絶した、あるいは死んだ虫によって伝導要素がブロックされることがないよう、伝導要素間の電圧による効果によって放逐された虫を、重力によって伝導要素から遠ざけておく、ということを基本概念としている。
【０００９】
本発明の好適な実施形態によれば、支持要素の伝導要素が配置される側の表面を滑らかに形成する。これにより、支持要素にそって上方へ登る虫の足掛かりが困難になり、電気ショックを受けた後、これら虫は確実に落下することになる。
【００１０】
気絶した、あるいは死んだ虫に作用する重力の大きさは、結局のところ、二つの伝導要素を相互につなぐ支持要素の接続面の傾きに依存する。よって、接続面の傾きが大きくなるほど、虫に作用する重力による力が大きくなる。そこで、伝導要素の接続面が上方に向かって垂直な場合、あるいは、接続面が張り出すような場合、特に効果的である。この接続面の垂直あるいは張り出すような配置によって、虫は、落下する際に足掛かりを得ることがなく、伝導要素から下に広がる空いた空間へ落下する。
【００１１】
本発明の装置は常に屋外に配置されなければならず、そのため、特に雨等の空気中の水分によって、望ましくない伝導要素間ショートが起きる問題がある。本発明の装置においてはこの問題はさらに深刻になる。というのは、伝導要素が上下に並んでいるために、水の粒子、特に雨粒が支持要素の表面を伝うことによって、簡単にショートを引き起こしてしまうおそれがあるからである。この水分による問題を回避するため、本発明の別の好適な実施形態によれば、保護要素を伝導要素の上方に設けることができる。この保護要素によって、伝導要素は上方および側方から保護されるため、特に雨粒が伝導要素を設けた支持要素の側面から入りこむことがない。但し、この場合には、保護要素と伝導要素との間に、十分な大きさの空間を形成し、虫が、この空間の中で支持要素を上方に向かって登り、伝導要素に接触できるように構成する必要がある。
【００１２】
側方から入り込む水分、例えば、斜めに降る雨粒から伝導要素を保護するため、保護要素は少なくとも少し下方に向かって伸びるよう構成される必要がある。
【００１３】
本発明の装置の構造および構成は、基本的にはユーザによって定義されるものであり、それぞれの適用例に基づいて決定することができる。第１実施形態によれば、支持要素は、伝導要素に平行な長軸に沿った弾性変形可能なフィルムとして形成されている。本実施形態では、支持要素を他の物体の輪郭にフレキシブルに適応させることができるので、例えば、円形の基柱を、単に弾性支持フィルムを配置することで保護することが可能である。
【００１４】
第２実施形態によれば、支持要素は安定成形されたストリップとして形成されており、この下端部は地中に押し込むことができる。その結果、本実施形態を使用することにより、何らかの補助的手段を用いて、害虫によって乗り越えられることがないバリアを地面に直立させることが可能となる。
【００１５】
第３実施形態によれば、支持要素はプロフィル・ストリップとして形成されており、これは、例えば角材のような自然のバリア装置に、虫からの保護を目的として取り付けられる。
【００１６】
虫がこの自然のバリア装置を侵蝕することがないように、本発明の好適な実施形態によれば、バリア装置上に、下方へ伸びて地中に挿入されるフィルムが設けられる。
【００１７】
多くの虫に対して有効な伝導要素間の間隔としては、５〜５０ｍｍが好適である。特に、ほとんどの種類のシロアリを追い払うためには、１０〜２０ｍｍの間隔とするのが好適である。
【００１８】
伝導要素間の供給電圧としては、２００〜５０００Ｖ、好ましくは４００〜１０００Ｖの電圧を印加することができる。そこで、虫の接触により伝導要素間にショートが形成された時に、比較的少量の電流しか流れないように、この供給電圧を掛けるための制御装置を形成しなければならない。その具体的目標は、虫を殺さず、単に、装置から虫が落下する程度に虫を気絶させることにある。これには、次のような利点がある。即ち、これらの虫が仲間のシロアリとコミュニケーションを行なうことによって、他のシロアリはもはや横断を試みようとしなくなるのである。ショート形成時の電力量が０．１〜０．６Ｊであれば、ほとんどの種類の虫を気絶させるに十分であり、且つ虫を殺すことがない。
【００１９】
本発明の好適な実施形態によれば、四つの伝導要素が装置上に設けられ、これらの伝導要素は装置の長軸に沿って互いに平行に延在している。これにより、結果として二重のバリアが形成されるので、虫の横断が確実に阻害される。よって、隣り合う伝導要素は、電圧源に対して反対の極性に接続することが望ましい。
【００２０】
さらに、伝導要素はその長軸に沿って、波状あるいはジグザグに形成することが有効である。このような構成により、虫の持つ自然な方向感覚を混乱させることができる。
【００２１】
本発明の複数の実施形態について、図に模式的に示すとともに、以下に例を挙げて説明する。
【００２２】
図１における装置０１は、プロフィル・ストリップ、即ち、角度のあるプロフィルとして形成されており、バリア装置０２として機能する角材に取り付けることができる。装置０１はシロアリ０３に対する防御のために設けるのが望ましい。このような目的を達成するため、装置０１上に、銅の導線として伝導要素０４、０５、０６が設けられ、これらは電圧源に接続される（図示省略）。伝導要素０４、０５、０６に対し異なる極性となるように電圧を接続することによって、一方では伝導要素０４と０５の間に、また他方では伝導要素０５と０６の間に、それぞれ電圧が形成される。伝導要素０４、０５、０６間の間隔を、シロアリ０３が伝導要素０４、０５、０６と交差するように横断した場合に、電流伝導接続がシロアリ０３の体を通して確実に形成されるよう設定する。この伝導接続がシロアリ０３によって形成された瞬間に、シロアリ０３の体内をサージが一瞬流れて、シロアリ０３を気絶させ、あるいは殺すことにより、シロアリ０３は下方へ自由落下し、下の地面０７へ落ちる。このような状態を示しているのが第２のシロアリ０８である。シロアリ０３あるいは０８が確実に落下するように、伝導要素０４、０５、０６間の接続面０９および１０はその表面が滑らかに形成される。さらに、最下部の伝導要素０６の下に自由落下用の空間を設けるため、接続面０９および１０は１０〜２０度の角度を持って張り出すよう構成される。
【００２３】
接続面０９および１０上へ落ちる水分によって引き起こされる、望ましくないショートから伝導要素０４および０６を保護するため、装置０１上に張り出す保護要素１１が設けられる。これは好ましくは、プラスティックからなる角度のあるプロフィルとして形成された支持要素と一体に成形される。
【００２４】
バリア装置０２の侵蝕を難しくする、あるいは完全に侵蝕不能にするために、プラスティック・フィルム１３を、その下部を地中１４に埋め込んだバリア装置０２の前面に取り付ける。プラスティック・フィルム１３の下端部の深さは、追い払うべき虫が地中に通路を掘る能力に基づいて決定しなければならい。
【００２５】
図２に、伝導要素０４、０５、０６と、角度のあるプロフィルを形成する支持要素１２と、前方に垂れ下がる保護要素１１とを供えた装置０１を拡大して示す。支持要素１２は二つの脚部１５および１６を有しており、脚部１６は装置０１をバリア装置０２に取り付ける機能をはたし、脚部１５は伝導要素０４、０５、０６を支持する機能を果たす。両脚部１５、１６は互いに対し９０度未満の角度を形成し、また、これらは弾性プラスティックから一体として製造されることにより、弾性をもって接続されている。これにより、脚部１６をバリア装置０２に装着する際に、脚部１５の下端部がバリア装置０２の側面に対して押し当てられる。そして、脚部１５と１６の角度が鋭角であることから、装置０１をバリア装置０２の角縁に押し付けることによって、脚部１５と１６のつなぎ目の部分を弾性変形させることができ、それにより、脚部１５の下端部が押し付けられる。この特徴により、脚部１５の下端部とバリア装置の表面、これも完全に滑らかではないが、この表面との間に大きな間隙が生じることがなく、シロアリが脚部１５の裏側とバリア装置０２との間の中間空間に入り込むことが不可能になる。この中間空間の封止状態は、シーリング・リップとして形成されたシーリング要素１７を脚部１５の下端部に設ければ、さらに改善される。このシーリング・リップ１７は弾性をもってバリア要素０２の表面に接し、大きな許容範囲をもって凹凸を補償する。
【００２６】
さらに、図２においては、複数の装置０１を接続するために使用される連結装置１８が図示されている。ここでは、連結装置１８は複数の装置０１の端部に装着され、連結装置が装着されると、連結装置上に設けられたブリッジ要素１９によって、伝導要素０４、０５、０６間に電気的接続が発生する。装置０１の端部には、それぞれ短いノッチが設けられ、このノッチによって、連結装置１８は脚部１５の前後の面で、脚部１５に係止される。
【００２７】
図４は、本発明装置の第２実施形態２０の断面図である。装置２０の構造は、伝導要素０４、０５、０６あるいは保護要素１１に関しては、デバイス０１の構造と同様である。しかし、装置２０は安定成形されたストリップとして形成されているため、バリア装置０２に取り付けるための脚部１６は省略されている。このストリップの支持部２１は、その下端部が尖っており、土中１４に押し込むことができる。この場合も、複数の装置２０を接続するために、ブリッジ要素１９を備えた連結装置１８を用いることも可能である。
【００２８】
図５においては、本発明装置の第３実施形態２２を示した図であり、この装置は、特に基柱の保護に適している。本装置２２では、支持要素２３は可撓性のプラスティック・フィルムからなり、そのため本装置２２はどのような形状のものにも取り付けることができる。装置２２の上端部において、支持要素２３の表面上に突出させた伝導要素０４、０５、０６により、この場合も電圧によって、基柱２４を登るシロアリによって乗り越えられることのない、有効なバリアが形成される。
【００２９】
図７は、本発明装置の第４実施形態２５の前面図である。伝導要素２６は波形に形成されており、電圧源のプラス極とマイナス極に交互に接続されている。
【００３０】
図８は、本発明装置の第５実施形態２７の前面図である。伝導要素２８はジグザグに形成されており、電圧源のプラス極とマイナス極に交互に接続されている。
【図面の簡単な説明】
【００３１】
【図１】本発明の装置の第１実施形態を示す断面図である。
【図２】図１による好適な連結装置を有す装置の断面図である。
【図３】図２による連結装置を示す斜視図である。
【図４】本発明の第２実施形態を示す断面図である。
【図５】本発明の装置の第３実施形態を示す側面図である。
【図６】図５による装置の拡大斜視図である。
【図７】本発明の装置の第４実施形態を示す前面図である。
【図８】本発明の装置の第５実施形態を示す前面図である。
【符号の説明】
【００３２】
０１  装置
０２  バリア装置
０３  シロアリ
０４  伝導要素
０５  伝導要素
０６  伝導要素
０７  地面
０８  シロアリ
０９  接続面
１０  接続面
１１  保護要素
１２  支持要素
１３  プラスティック・フィルム
１４  地中
１５  低脚部
１６  横脚部
１７  シーリング要素
１８  連結装置
１９  ブリッジ要素
２０  装置
２１  支持要素
２２  装置
２３  支持要素
２４  基柱
２５  装置
２６  伝導要素
２７  装置
２８  伝導要素
【図１】
2005537019.tif 000003
【図２】
2005537019.tif 000004
【図３】
2005537019.tif 000005
【図４】
2005537019.tif 000006
【図５】
2005537019.tif 000007
【図６】
2005537019.tif 000008
【図７】
2005537019.tif 000009
【図８】
2005537019.tif 000010
【国際調査報告】
2005537019.tif 000011
2005537019.tif 000012
2005537019.tif 000013
2005537019.tif 000014